(57)【要約】【課題】より効果的にシリンダボア壁の変形を抑制できる技術を提供すること【解決手段】吐出通路部３２ｂを介して冷却水が導入される導入室３６を、側壁２２ａの第１シリンダボア２４ａ１に隣接した位置に設ける。導入室３６とブロック用ウォータジャケットＢＷＪとは、切欠き２６を介して連通している。当該切欠き２６は、第１および第２切欠構成壁部２８ａ，２８ｂによって構成されている。ヘッド締結用ボルトがネジ係合されるネジ穴２３が近傍に配置された第１切欠構成壁部２８ａは、傾斜部２９を有している。傾斜部２９は、切欠き２６の底部２６ａに向かうに従い第２切欠構成壁部２８ｂに近づく方向の傾斜を有している。当該構成により、第１切欠構成壁部２８ａが、ヘッド締結ボルトの締結力によって切欠き２６が拡開する方向に変形することを良好に抑制でき、当該変形に起因して生ずるシリンダボア壁部２４の変形を抑制することができる。【選択図】図５
2017130435.tif 000002
【特許請求の範囲】
【請求項１】
ウォータポンプからの冷却水が供給されるウォータジャケットを有するシリンダブロックであって、
シリンダヘッド締結用ボルトがネジ係合されるネジ穴を有する外壁部と、
シリンダボアを構成するシリンダボア壁部と、を備え、
前記ウォータジャケットは、前記外壁部と前記シリンダボア壁部との間において前記シリンダボアのトップデッキ側が開口するよう構成されており、
前記外壁部には、前記ウォータポンプからの冷却水が導入される導入室が設けられており、
前記ウォータジャケットおよび前記導入室は、前記トップデッキ側に設けられた切欠きを介して連通されており、
該切欠きは、第１および第２切欠構成壁部によって画成されており、
該第１および第２切欠構成壁部の少なくとも一方は、前記切欠きの底部に向かうに従い前記第１および第２切欠構成壁部間の距離が減少するよう構成された傾斜部を有している
シリンダブロック。
【請求項２】
前記ネジ穴は、前記第１切欠構成壁部に近接配置されており、
前記傾斜部は、前記第１切欠構成壁部に設けられている
請求項１に記載のシリンダブロック。
【請求項３】
前記傾斜部は、前記ウォータジャケットに対向する内周面を有しており、
前記内周面は、前記ウォータジャケットと同心円状の曲面に構成されている
請求項１または２に記載のシリンダブロック。
【請求項４】
前記傾斜部は、前記導入室に対向する外周面を有しており、
該外周面は、前記ウォータジャケットと同心円状の曲面に構成されている
請求項１ないし３のいずれか１項に記載のシリンダブロック。
【請求項５】
前記外壁部には、前記ウォータポンプからの冷却水を前記導入室に導入するよう構成された導入開口が設けられており、
該導入開口は、前記切欠きに対向する位置に配置されており、
前記傾斜部は、前記導入開口から前記導入室に導入される冷却水の流れ方向に沿う方向から前記導入開口を見たときに前記導入開口の一部とオーバーラップするよう構成されている
請求項１ないし４のいずれか１項に記載のシリンダブロック。
【請求項６】
前記傾斜部は、前記流れ方向に沿う方向から前記導入開口を見たときに、前記導入開口の断面積の略半分を占めるよう構成されている
請求項５に記載のシリンダブロック。
【請求項７】
請求項１ないし６のいずれか１項に記載のシリンダブロックと、
該シリンダブロックに締結されるシリンダヘッドと、
前記シリンダブロックに取り付けられるウォータポンプと、
を備え、
前記ウォータポンプから供給される冷却水によって前記シリンダブロックおよび前記シリンダヘッドを冷却するよう構成された
内燃機関。
【発明の詳細な説明】
【技術分野】
【０００１】
本発明は、ウォータポンプからの冷却水がウォータジャケットに供給されるよう構成されたシリンダブロックおよびこれを備える内燃機関に関する。
【背景技術】
【０００２】
特開２００９−２０９８５７号公報（特許文献１）には、シリンダブロックの外壁とシリンダボア壁との間に当該シリンダボア壁の全周囲を囲うように構成されたウォータジャケットを備えるシリンダブロックが記載されている。当該シリンダブロックでは、ウォータポンプからの冷却水が導入される導入室をシリンダブロックの外壁に設けるとともに、当該外壁の一部を切り欠いて導入室とウォータジャケットとを連通する入口ポートを形成し、当該入口ポートを介して導入室からウォータジャケットに冷却水を供給するように構成されている。【０００３】
当該シリンダブロックでは、シリンダボア壁のうち入口ポートに対向する部分の肉厚をシリンダボア壁の他の部分の肉厚よりも大きく構成することにより、当該シリンダブロックにシリンダヘッドを締結する際に、シリンダボア壁のうち入口ポートに対向する部分が当該入口ポートの方向へ引っ張られるように変形することを抑制することができる。
【先行技術文献】
【特許文献】
【０００４】
【特許文献１】特開２００９−２０９８５７号公報
【発明の概要】
【発明が解決しようとする課題】
【０００５】
ところで、上述した公報に記載のシリンダブロックのように、シリンダブロックの外壁の一部を切り欠いた入口ポートを有する構成の場合、シリンダヘッドをシリンダブロックに締結する際に、シリンダヘッド締結用ボルトの軸力によって、外壁のうち入口ポートを構成する部分に、その切欠き開口が拡大される方向の変形が生じ、当該変形に起因してシリンダボア壁に変形が生じる。【０００６】
上述した公報に記載のシリンダブロックでは、シリンダボア壁のうち入口ポートに対向する部分が入口ポートの方向へ引っ張られるような変形は防止できるものの、入口ポートを構成する外壁部分の変形に起因したシリンダボア壁の変形を抑制することができない。また、シリンダボア壁のうち入口ポートに対向する部分の肉厚をシリンダボア壁の他の部分の肉厚よりも大きくする構成は、シリンダボア壁の対称性を損なうことになるため、シリンダボア壁の変形をかえって助長する場合もあり、シリンダボア変形の効果的な抑制という点において、なお改良の余地がある。【０００７】
本発明は、上記に鑑みてなされたものであり、より効果的にシリンダボア壁の変形を抑制できる技術を提供することを目的とする。
【課題を解決するための手段】
【０００８】
本発明のシリンダブロックおよびこれを備える内燃機関は、上述の目的を達成するために以下の手段を採った。【０００９】
本発明に係るシリンダブロックの好ましい形態によれば、ウォータポンプからの冷却水が供給されるウォータジャケットを有するシリンダブロックが構成される。当該シリンダブロックは、シリンダヘッド締結用ボルトがネジ係合されるネジ穴を有する外壁部と、シリンダボアを構成するシリンダボア壁部と、を備えている。ウォータジャケットは、外壁部とシリンダボア壁部との間においてシリンダボアのトップデッキ側が開口するように構成されている。また、外壁部には、ウォータポンプからの冷却水が導入される導入室が設けられている。ウォータジャケットおよび導入室は、トップデッキ側に設けられた切欠きを介して連通されている。切欠きは、第１および第２切欠構成壁部によって画成されている。そして、第１および第２切欠構成壁部の少なくとも一方は、切欠きの底部に向かうに従い第１および第２切欠構成壁部間の距離が減少するよう構成された傾斜部を有している。【００１０】
ここで、本発明における「切欠き」の態様としては、切欠きの底部において第１および第２切欠構成壁部が互いに直接鋭角的に接続されることによって構成される態様の他、切欠きの底部において第１および第２切欠構成壁部が平面や曲面を介して互いに接続されることによって構成される態様を好適に包含する。【００１１】
本発明によれば、切欠きを構成する第１および第２切欠構成壁部の少なくとも一方が切欠きの底部に向かうに従い第１および第２切欠構成壁部間の距離が減少する傾斜状に構成されているため、少なくとも第１および第２切欠構成壁部の一方が他方に対して離れる方向に倒れる変形、即ち、切欠きが拡開する方向の変形を抑制することができる。【００１２】
これにより、第１および第２切欠構成壁部の変形に起因して生ずるシリンダボア壁部の変形を抑制することができる。この結果、シリンダヘッドとシリンダブロックとの間のシール性が低下することもない。なお、従来のようにシリンダボア壁部の対称性が損なわれることがないため、シリンダボア壁部が非対称に構成されることに起因するシリンダボア壁部の変形が助長されることも抑制され得る。【００１３】
本発明に係るシリンダブロックの更なる形態によれば、ネジ穴は、第１切欠構成壁部に近接配置されている。そして、傾斜部は、第１切欠構成壁部に設けられている。【００１４】
本形態によれば、ネジ穴が近接配置される第１切欠構成壁部が傾斜部を有する構成であるため、シリンダヘッド締結用ボルトの軸力によって第１切欠構成壁部が第２切欠構成壁部側とは反対側へ倒れることを効果的に抑制することができる。【００１５】
本発明に係るシリンダブロックの更なる形態によれば、傾斜部は、ウォータジャケットに対向する内周面を有している。そして、内周面は、ウォータジャケットと同心円状の曲面に構成されている。【００１６】
本形態によれば、ウォータジャケット内を流れる冷却水の流れが傾斜部によって乱れることを防止することができる。これにより、冷却性能を低下させることなく、シリンダボアの変形を抑制することができる。【００１７】
本発明に係るシリンダブロックの更なる形態によれば、傾斜部は、導入室に対向する外周面を有している。そして、外周面は、ウォータジャケットと同心円状の曲面に構成されている。【００１８】
本形態によれば、導入室に導入され傾斜部の外周面に衝突した冷却水を当該外周面に沿わせてウォータジャケット内に誘導することができる。これにより、ウォータジャケット内への冷却水の流入性の向上を図りながら、シリンダボアの変形を抑制することができる。【００１９】
本発明に係るシリンダブロックの更なる形態によれば、外壁部には、ウォータポンプからの冷却水を導入室に導入するように構成された導入開口が設けられている。導入開口は、切欠きに対向する位置に配置されている。そして、傾斜部は、導入開口から導入室に導入される冷却水の流れ方向に沿う方向から導入開口を見たときに導入開口の一部とオーバーラップするよう構成されている。【００２０】
ここで、本発明における「導入開口から導入室に導入される冷却水の流れ方向に沿う方向」とは、外壁部側から導入開口を見る方向がこれに該当し、典型的には、シリンダボア配列方向に垂直な方向が該当する。【００２１】
本形態によれば、導入開口から切欠きに向けて導入室に導入された冷却水の一部が傾斜部に衝突することにより、その流れは傾斜部を伝って切欠き側に向かう方向の流れに変えられる。当該流れの方向が変えられた冷却水は、導入開口から切欠きを介してウォータジャケット内に直接流入しようとする冷却水に衝突することによって、当該ウォータジャケット内に直接流入しようとする冷却水の流れ方向をウォータジャケットに沿った方向の流れに変化させることができる。【００２２】
これにより、冷却水が導入開口から切欠きを介して直接的にウォータジャケットに流入することにより、シリンダボア壁部の切欠きに対向する部分に集中的に冷却水が衝突することを抑制できるため、当該部分のみが過冷却されることを抑制できる。これにより、シリンダボア壁部の不均一な冷却に起因して生ずるシリンダボアの変形の抑制も図ることができる。【００２３】
本発明に係るシリンダブロックの更なる形態によれば、傾斜部は、導入開口から導入室に導入される冷却水の流れ方向に沿う方向から導入開口を見たときに、導入開口の断面積の略半分を占めるように構成されている。【００２４】
本形態によれば、シリンダボア壁部の切欠きに対向する部分に集中的に冷却水が衝突することをより一層抑制することができる。【００２５】
本発明に係る内燃機関の好ましい形態によれば、上述したいずれかの態様の本発明に係るシリンダブロックと、当該シリンダブロックに締結されるシリンダヘッドと、当該シリンダブロックに取り付けられるウォータポンプと、を備える内燃機関が構成される。当該内燃機関は、ウォータポンプから供給される冷却水によってシリンダブロックおよびシリンダヘッドを冷却するように構成されている。【００２６】
本発明によれば、上述したいずれかの態様の本発明に係るシリンダブロックを備える構成であるため、本発明のシリンダブロックが奏する効果と同様の効果、例えば、シリンダボアの変形を良好に抑制することができる効果などを奏することができる。【００２７】
これにより、ピストンの摺動フリクションが低減するため、燃費向上を図ることができる。また、シリンダボアとピストンとの間から漏出する未燃焼ガス（ブローバイガス）の量を低減できるため、オイル劣化の抑制を図ることができる。
【発明の効果】
【００２８】
本発明によれば、より効果的にシリンダボア壁の変形を抑制できる技術を提供することができる。
【図面の簡単な説明】
【００２９】
【図１】本発明の実施の形態に係る内燃機関１の構成の概略を示す構成図である。
【図２】本発明の実施の形態に係るシリンダブロック２０の外観を示す斜視図である。
【図３】本発明の実施の形態に係るシリンダブロック２０を上方から見た平面図である。
【図４】本発明の実施の形態に係るシリンダブロック２０を図３のＡ方向から見た側面図である。
【図５】図３のＢ部を拡大して示す要部拡大図である。
【図６】図４のＣ部を拡大して示す要部拡大図である。
【図７】図３のＤ−Ｄ断面を示す断面図である。
【図８】図６のＥ−Ｅ断面を示す断面図である。
【図９】吐出通路部３２ｂから導入室３６を介してブロック用ウォータジャケットＢＷＪ内に流入する冷却水の流れの様子を示す説明図である。
【発明を実施するための形態】
【００３０】
次に、本発明を実施するための最良の形態を実施例を用いて説明する。
【実施例】
【００３１】
本発明の実施の形態に係る内燃機関１は、図１に示すように、シリンダヘッド２と、当該シリンダヘッド２の上部に取り付けられたロッカーカバー４と、シリンダヘッド２の下部に取り付けられた本発明の実施の形態に係るシリンダブロック２０と、当該シリンダブロック２０の下部に取り付けられたアッパーオイルパン６と、当該アッパーオイルパン６の下部に取り付けられたロアオイルパン８と、シリンダブロック２０に取り付けられたウォータポンプ１０と、を備えている。内燃機関１は、実施例では、４つの気筒が直列に配置された直列４気筒エンジンとして構成されている。【００３２】
シリンダブロック２０は、図２および図３に示すように、シリンダブロック２０の外郭を構成する外壁部２２と、４つのシリンダボア２４ａを有するシリンダボア壁部２４と、を備えており、外壁部２２とシリンダボア壁部２４との間には、ブロック用ウォータジャケットＢＷＪが形成されている。外壁部２２およびシリンダボア壁部２４の上端面（図２における上側の端面）は、面一状に形成されており、シリンダヘッド２に当接されるトップデッキ面２５を構成している。なお、本実施の形態では、説明の便宜上、４つのシリンダボア２４ａを図２および図３における左側から順に「第１シリンダボア２４ａ１」、「第２シリンダボア２４ａ２」、「第３シリンダボア２４ａ３」および「第４シリンダボア２４ａ４」として規定する。【００３３】
外壁部２２には、図３に示すように、シリンダボア２４ａの配列方向に沿ってほぼ等間隔に複数のネジ穴２３が形成されている。詳細には、ネジ穴２３は、隣接するシリンダボア２４ａ間に対応する位置にシリンダボア２４ａ列を挟んで両側に各５個ずつ、計１０個形成されている。即ち、ネジ穴２３は、隣接するシリンダボア２４ａ間に対応する位置に配置されたネジ穴２３を隣接するシリンダボア２４ａ同士で共有した状態で、各シリンダボア２４ａの周方向にほぼ等間隔（９０度の間隔）に４個配置される。【００３４】
また、外壁部２２のうちシリンダボア２４ａの配列方向に沿って延在するように構成された側壁２２ａ，２２ｂのうちの一方の側壁２２ａには、図２および図４に示すように、ウォータポンプ１０を取り付けるためのウォータポンプ取付部３２と、当該ウォータポンプ取付部３２に冷却水を導くサクション通路部３４と、ウォータポンプ１０から吐出される冷却水が導入される導入室３６と、が形成されている。【００３５】
ウォータポンプ取付部３２は、図２に示すように、側壁２２ａのうち第１シリンダボア２４ａ１に対応した位置に一体形成されている。当該ウォータポンプ取付部３２に、例えば、ゴムガスケットやＦＩＰＧ（現場成形ガスケット）からなる液状ガスケットを介して、図示しない締結ボルトによってウォータポンプ１０が取り付け固定される。ウォータポンプ取付部３２は、図２および図４に示すように、ウォータポンプ１０の吸入ポート（図示せず）に接続される吸入通路部３２ａと、ウォータポンプ１０の吐出ポート（図示せず）に接続される吐出通路部３２ｂと、を有している。【００３６】
吐出通路部３２ｂは、図５および図８に示すように、側壁２２ａをほぼ直交状に貫通して導入室３６に連通接続されている。吐出通路部３２ｂは、本発明における「導入開口」に対応する実施構成の一例である。【００３７】
サクション通路部３４は、図４に示すように、側壁２２ａの上方部（図４の上方側）において、シリンダボア２４ａの配列方向（図２の左右方向）に沿って延在しており、サクション通路部３４内部には冷却水が流れる冷却水通路が形成されている。サクション通路部３４の一端部はウォータポンプ取付部３２の吸入通路部３２ａに接続されており、サクション通路部３４の他端部は、図示しないヘッド用ウォータジャケットに連通されている。【００３８】
導入室３６は、図２、図３、図５および図７に示すように、トップデッキ面２５側が開口された有底凹部として構成されており、切欠き２６を介してブロック用ウォータジャケットＢＷＪに連通接続されている。切欠き２６は、側壁２２ａの一部を切欠くことにより構成されている。詳細には、切欠き２６は、図３、図５および図７に示すように、第１切欠構成壁部２８ａと、第２切欠構成壁部２８ｂと、によって構成されている。なお、切欠き２６は、図４および図６に示すように、吐出通路部３２ｂに対向する位置に設けられている。【００３９】
第１切欠構成壁部２８ａの近傍には、図５に示すように、ネジ穴２３が形成されている。また、第１切欠構成壁部２８ａは、図７に示すように、切欠き２６の底部２６ａに向かうに従い第２切欠構成壁部２８ｂに近づく方向（第１および第２切欠構成壁部２８ａ，２８ｂ間の距離が減少する方向）に傾斜した傾斜部２９を有している。これにより、切欠き２６は、図７に示すように、シリンダボア２４ａの配列方向にほぼ直交する方向から見た場合に略Ｖ字状に構成される。【００４０】
ここで、傾斜部２９は、側壁２２ａ側から吐出通路部３２ｂを流れる冷却水の流れ方向に沿う方向に当該吐出通路部３２ｂを見た場合、図４および図６に示すように、吐出通路部３２ｂの通路断面積の略半分を占めるような位置および大きさに構成されている。即ち、傾斜部２９は、ウォータポンプ１０から吐出通路部３２ｂを介して導入室３６に導入された冷却水の少なくとも一部が衝突するように構成されている。傾斜部２９が、側壁２２ａ側から吐出通路部３２ｂを見た場合に、当該吐出通路部３２ｂの通路断面積の略半分を占めるような位置および大きさに構成されている態様は、本発明における「前記傾斜部は、前記導入開口から前記導入室に導入される冷却水の流れ方向に沿う方向から前記導入開口を見たときに前記導入開口の一部とオーバーラップするよう構成されている」態様に対応する実施構成の一例である。【００４１】
また、傾斜部２９の内周面２９ａ（シリンダボア壁部２４に対向する面）および外周面２９ｂ（導入室３６に対向する面）は、図５に示すように、シリンダボア壁部２４の外周面と同心円状の曲面に構成されている。【００４２】
シリンダボア壁部２４は、図２および図３に示すように、４つのシリンダボア２４ａが直列に配置されるように構成されており、互いに隣接する各シリンダボア壁部２４が互いに連結されたサイアミーズシリンダを構成している。なお、シリンダボア２４ａ内には、図示しないピストンが摺動する。【００４３】
ブロック用ウォータジャケットＢＷＪは、図３に示すように、シリンダボア壁部２４を囲むようにシリンダボア壁部２４にほぼ同心状に構成されている。ブロック用ウォータジャケットＢＷＪは、冷却水が流れる冷却水通路として構成されており、ブロック用ウォータジャケットＢＷＪを流れる冷却水によって、シリンダブロック２０、特に、シリンダボア壁部２４周りが冷却される。ブロック用ウォータジャケットＢＷＪは、トップデッキ面２５側（図３の紙面方向手前側）が開口された所謂オープンデッキタイプのウォータジャケットとして構成されている。【００４４】
こうして構成されたシリンダブロック２０のトップデッキ面２５にシリンダヘッド２を設置すると共にネジ穴２３にヘッド締結ボルトをネジ係合することによって、シリンダヘッド２がシリンダブロック２０に締結される。ここで、第１および第２切欠構成壁部２８ａ，２８ｂは、切欠き２６によって不連続となっているため、他の外壁部２２に比べて剛性が低下している。したがって、第１および第２切欠構成壁部２８ａ，２８ｂが、ヘッド締結ボルトの締結力（軸力）によって切欠き２６が拡開する方向の変形を生じ易い。特に、第１切欠構成壁部２８ａの近傍にはネジ穴２３が形成されているため、ヘッド締結ボルトの締結力（軸力）の影響が顕著なものとなる。【００４５】
しかしながら、本実施の形態によれば、第１切欠構成壁部２８ａが傾斜部２９を有しているため、第１切欠構成壁部２８ａが、ヘッド締結ボルトの締結力（軸力）によって切欠き２６が拡開する方向に変形することを良好に抑制することができる。これにより、第１切欠構成壁部２８ａの変形に起因して生ずるシリンダボア壁部２４の変形を抑制することができ、シリンダヘッド２とシリンダブロック２０との間のシール性が低下することもない。なお、従来のようにシリンダボア壁部２４の対称性が損なわれることがないため、シリンダボア壁部２４が非対称に構成されることに起因するシリンダボア壁部２４の変形が助長されることも抑制され得る。【００４６】
次に、こうして構成された内燃機関１の運転に伴って駆動されるウォータポンプ１０によって吐出され、ブロック用ウォータジャケットＢＷＪに供給される冷却水の流れについて説明する。ウォータポンプ１０によって吐出された冷却水は、吐出通路部３２ｂから導入室３６内に導入される。導入室３６に導入された冷却水の一部は、第１切欠構成壁部２８ａの傾斜部２９に衝突し、残りの一部は、直接切欠き２６に向かって流れる。【００４７】
傾斜部２９の外周面２９ｂに衝突した冷却水は、図９の実線矢印で示すように、切欠き２６に向かう方向にその流れ方向が変えられ、切欠き２６を介してブロック用ウォータジャケットＢＷＪ内に流入する。ここで、傾斜部２９の外周面２９ｂが、シリンダボア壁部２４の外周面と同心円状の曲面に構成されているため、傾斜部２９の外周面２９ｂに衝突した冷却水をスムーズに切欠き２６に向かわせることができると共に、ブロック用ウォータジャケットＢＷＪに沿った流れに変更することができる。【００４８】
一方、直接切欠き２６に向かって流れる冷却水は、傾斜部２９の外周面２９ｂに衝突して流れ方向が切欠き２６に向かう方向に変えられた冷却水と衝突して、図９の破線矢印で示すように、その流れ方向がブロック用ウォータジャケットＢＷＪに沿った流れ方向に変更された上でブロック用ウォータジャケットＢＷＪ内に流入する。【００４９】
これにより、冷却水が直接切欠き２６からブロック用ウォータジャケットＢＷＪに流入することにより、シリンダボア壁部２４の切欠き２６に対向する部分に集中的に冷却水が衝突することを抑制できる。この結果、シリンダボア壁部２４の切欠き２６に対向する部分のみが過冷却されることを抑制でき、シリンダボア壁部２４の不均一な冷却に起因して生ずるシリンダボア壁部２４の変形の抑制を図ることができる。【００５０】
以上のように、本実施の形態によれば、導入室３６に導入された冷却水は、傾斜部２９によってその流れ方向がブロック用ウォータジャケットＢＷＪに沿った流れ方向に変更された上でブロック用ウォータジャケットＢＷＪ内に流入するため、ブロック用ウォータジャケットＢＷＪ内への冷却水の流入性を向上することができる。即ち、ブロック用ウォータジャケットＢＷＪへの冷却水の流入性の向上を図りながら、シリンダボア壁部２４の変形を抑制することができる。【００５１】
なお、傾斜部２９の内周面２９ａがシリンダボア壁部２４の外周面と同心円状の曲面に構成されているため、ブロック用ウォータジャケットＢＷＪ内を流れる冷却水の流れが乱れることもない。これにより、冷却性能の低下を防止できる。【００５２】
本実施の形態では、第１切欠構成壁部２８ａのみに傾斜部２９を設ける構成としたが、これに限らない。例えば、第２切欠構成壁部２８ｂの近傍にネジ穴２３が形成される場合にあっては、第２切欠構成壁部２８ｂのみに傾斜部２９を設ける構成としても良い。また、第１および第２切欠構成壁部２８ａ，２８ｂの両方に傾斜部２９を設ける構成としても良い。【００５３】
本実施の形態では、傾斜部２９の上面が直線部を有し、切欠き２６は、シリンダボア２４ａの配列方向にほぼ直交する方向から見た場合に略Ｖ字状となる構成としたが、これに限らない。例えば、傾斜部２９の上面を下に凸の曲線とし、切欠き２６は、シリンダボア２４ａの配列方向にほぼ直交する方向から見た場合に略Ｕ字状となる構成としても良い。【００５４】
本実施の形態では、傾斜部２９の内周面２９ａおよび外周面２９ｂを、シリンダボア壁部２４の外周面と同心円状の曲面に構成したが、これに限らない。冷却水をブロック用ウォータジャケットＢＷＪ内にスムーズに流入することができ、かつ、ブロック用ウォータジャケットＢＷＪ内を流れる冷却水の流れに乱れが生じなければ、傾斜部２９の内周面２９ａおよび外周面２９ｂは、例えば、シリンダボア壁部２４の外周面と同心円状ではない曲面に構成しても良いし、傾斜部２９の内周面２９ａおよび外周面２９ｂは、曲面に構成しなくても良い。【００５５】
本実施の形態では、傾斜部２９の内周面２９ａおよび外周面２９ｂの両方を、シリンダボア壁部２４の外周面と同心円状の曲面に構成したが、これに限らない。例えば、傾斜部２９の内周面２９ａおよび外周面２９ｂのいずれか一方のみに、シリンダボア壁部２４の外周面と同心円状の曲面を構成しても良い。【００５６】
本実施の形態では、側壁２２ａ側から吐出通路部３２ｂを見た場合に、当該吐出通路部３２ｂの通路断面積の略半分を占めるような位置および大きさに傾斜部２９を構成したが、これに限らない。側壁２２ａ側から吐出通路部３２ｂを見た場合に、傾斜部２９が当該吐出通路部３２ｂの一部とオーバーラップする構成であれば良く、吐出通路部３２ｂの通路断面積の半分未満あるいは半分より大きな割合を占めるような位置および大きさに傾斜部２９を構成しても良い。【００５７】
本実施形態は、本発明を実施するための形態の一例を示すものである。したがって、本発明は、本実施形態の構成に限定されるものではない。なお、本実施形態の各構成要素と本発明の各構成要素の対応関係を以下に示す。
【符号の説明】
【００５８】
１        内燃機関（内燃機関）
２        シリンダヘッド（シリンダヘッド）
４        ロッカーカバー
６        アッパーオイルパン
８        ロアオイルパン
１０      ウォータポンプ（ウォータポンプ）
２０      シリンダブロック（シリンダブロック）
２２      外壁部（外壁部）
２２ａ    側壁
２２ｂ    側壁
２３      ネジ穴（ネジ穴）
２４      シリンダボア壁部（シリンダボア壁部）
２４ａ    シリンダボア（シリンダボア）
２４ａ１  第１シリンダボア
２４ａ２  第２シリンダボア
２４ａ３  第３シリンダボア
２４ａ４  第４シリンダボア
２５      トップデッキ面
２６      切欠き（切欠き）
２６ａ    底部（底部）
２８ａ    第１切欠構成壁部（第１切欠構成壁部）
２８ｂ    第２切欠構成壁部（第２切欠構成壁部）
２９      傾斜部（傾斜部）
２９ａ    内周面（内周面）
２９ｂ    外周面（外周面）
３２      ウォータポンプ取付部
３２ａ    吸入通路部
３２ｂ    吐出通路部（導入開口）
３４      サクション通路部
３６      導入室（導入室）
ＢＷＪ    ブロック用ウォータジャケット（ウォータジャケット）
【図１】
2017130435.tif 000003
【図２】
2017130435.tif 000004
【図３】
2017130435.tif 000005
【図４】
2017130435.tif 000006
【図５】
2017130435.tif 000007
【図６】
2017130435.tif 000008
【図７】
2017130435.tif 000009
【図８】
2017130435.tif 000010
【図９】
2017130435.tif 000011
【手続補正書】
【提出日】平成28年11月7日(2016.11.7)
【手続補正１】
【補正対象書類名】図面
【補正対象項目名】図５
【補正方法】変更
【補正の内容】
【図５】
2017130435.tif 000012
【手続補正２】
【補正対象書類名】図面
【補正対象項目名】図６
【補正方法】変更
【補正の内容】
【図６】
2017130435.tif 000013
【手続補正３】
【補正対象書類名】図面
【補正対象項目名】図７
【補正方法】変更
【補正の内容】
【図７】
2017130435.tif 000014
【手続補正４】
【補正対象書類名】図面
【補正対象項目名】図８
【補正方法】変更
【補正の内容】
【図８】
2017130435.tif 000015
【手続補正５】
【補正対象書類名】図面
【補正対象項目名】図９
【補正方法】変更
【補正の内容】
【図９】
2017130435.tif 000016
【国際調査報告】
2017130435.tif 000017
2017130435.tif 000018
2017130435.tif 000019
2017130435.tif 000020